(57)【要約】【課題】操作弁から外されるピストン体と操作部保持用補助具とを取り落とすことなく操作部に容易に着脱することができる内視鏡の操作部を提供すること。【解決手段】ピストン体１２，２２がシリンダ体１１，２１から抜け出すのを規制するために操作部１に取り付けられたピストン体取付部材５２と操作部保持用補助具５０とを一体に形成して、ピストン体取付部材５２を操作部１から取り外してピストン体１２，２２をシリンダ体１１，２１から抜き出すことによりそれと一体に操作部保持用補助具５２が操作部１から外れるようにした。【選択図】      図１
2006212048.tif 000002
【特許請求の範囲】
【請求項１】
シリンダ体内で進退自在なピストン体が上記シリンダ体に対して着脱自在に構成された操作弁と、操作部を保持する術者の手の形に応じて上記操作部に取り付けられる操作部保持用補助具とが設けられた内視鏡の操作部において、
上記ピストン体が上記シリンダ体から抜け出すのを規制するために上記操作部に取り付けられたピストン体取付部材と上記操作部保持用補助具とを一体に形成して、上記ピストン体取付部材を上記操作部から取り外して上記ピストン体を上記シリンダ体から抜き出すことによりそれと一体に上記操作部保持用補助具が上記操作部から外れるようにしたことを特徴とする内視鏡の操作部。
【請求項２】
上記操作部保持用補助具が、上記ピストン体及びその突端に取り付けられた操作釦と共にユニットを構成している請求項１記載の内視鏡の操作部。
【請求項３】
上記操作弁として吸引操作弁と送気送水操作弁とが並んで配置されていて、上記操作部保持用補助具と一体に形成された上記ピストン体取付部材により、上記吸引操作弁と上記送気送水操作弁の両ピストン体の各々シリンダ体からの抜け出しが規制されている請求項１又は２記載の内視鏡の操作部。
【請求項４】
上記操作部保持用補助具と上記吸引操作弁のピストン体と上記送気送水操作弁のピストン体とが一体となって上記操作部に対して着脱される請求項３記載の内視鏡の操作部。
【発明の詳細な説明】
【技術分野】
【０００１】
この発明は内視鏡の操作部に関する。
【背景技術】
【０００２】
内視鏡を使用する術者は、内視鏡の操作部を手で保持した状態でその操作部に配置されている各種操作部材の操作を行うが、術者の手の形や大きさは千差万別であり、人によっては操作部を使い易い状態に保持できない場合がある。
【０００３】
そこで、内視鏡を用いる術者の手の形や大きさに合わせて選択できる操作部保持用補助具を操作部に取り付けることにより、メーカーから一種類しか出されていない操作部を多くの人が違和感なく使用できるようにしている（例えば、特許文献１）。
【特許文献１】実開昭６３−１２７６０１
【発明の開示】
【発明が解決しようとする課題】
【０００４】
内視鏡の操作部には一般に、シリンダ体内で進退自在なピストン体がシリンダ体に対して着脱自在に構成された操作弁が配置されている。そして内視鏡検査終了時には、ピストン体を外してシリンダ体内を洗浄消毒する必要があり、それと同時に操作部保持用補助具も操作部から外して各々を洗浄消毒する必要がある。
【０００５】
すると、特許文献１に記載されている操作部保持用補助具は、それ自体に突設された舌片を弾性変形させて内視鏡の操作部に取り付けられているので、ピストン体と別々に操作部から取り外す取り扱い中にピストン体又は操作部保持用補助具を取り落として破損してしまう場合がある。
【０００６】
また、内視鏡の洗浄消毒が終了した後では、ピストン体と操作部保持用補助具を個々に操作部に取り付ける操作を行う必要があるので作業が面倒であると同時に、その取り扱い中にも洗浄消毒済のピストン体又は操作部保持用補助具を取り落として破損又は汚損してしまう場合がある。
【０００７】
そこで本発明は、操作弁から外されるピストン体と操作部保持用補助具とを取り落とすことなく操作部に容易に着脱することができる内視鏡の操作部を提供することを目的とする。
【課題を解決するための手段】
【０００８】
上記の目的を達成するため、本発明の内視鏡の操作部は、シリンダ体内で進退自在なピストン体がシリンダ体に対して着脱自在に構成された操作弁と、操作部を保持する術者の手の形に応じて操作部に取り付けられる操作部保持用補助具とが設けられた内視鏡の操作部において、ピストン体がシリンダ体から抜け出すのを規制するために操作部に取り付けられたピストン体取付部材と操作部保持用補助具とを一体に形成して、ピストン体取付部材を操作部から取り外してピストン体をシリンダ体から抜き出すことによりそれと一体に操作部保持用補助具が操作部から外れるようにしたものである。
【０００９】
なお、操作部保持用補助具が、ピストン体及びその突端に取り付けられた操作釦と共にユニットを構成していてもよい。
また、操作弁として吸引操作弁と送気送水操作弁とが並んで配置されていて、操作部保持用補助具と一体に形成されたピストン体取付部材により、吸引操作弁と送気送水操作弁の両ピストン体の各々シリンダ体からの抜け出しが規制されていてもよく、その場合、操作部保持用補助具と吸引操作弁のピストン体と送気送水操作弁のピストン体とが一体となって操作部に対して着脱されるようにするとよい。
【発明の効果】
【００１０】
本発明によれば、ピストン体がシリンダ体から抜け出すのを規制するために操作部に取り付けられたピストン体取付部材を操作部から取り外してピストン体をシリンダ体から抜き出すことにより、それと一体に操作部保持用補助具が操作部から外れるので、ピストン体と操作部保持用補助具とを取り落とすことなく操作部に容易に着脱することができる。
【発明を実施するための最良の形態】
【００１１】
シリンダ体内で進退自在なピストン体がシリンダ体に対して着脱自在に構成された操作弁と、操作部を保持する術者の手の形に応じて操作部に取り付けられる操作部保持用補助具とが設けられた内視鏡の操作部において、ピストン体がシリンダ体から抜け出すのを規制するために操作部に取り付けられたピストン体取付部材と操作部保持用補助具とを一体に形成して、ピストン体取付部材を操作部から取り外してピストン体をシリンダ体から抜き出すことによりそれと一体に操作部保持用補助具が操作部から外れる。
【実施例】
【００１２】
図面を参照して本発明の実施例を説明する。
図２は内視鏡の外観図であり、操作部１の下端に可撓性の挿入部２が連結され、図示されていない光源装置に接続されるコネクタ部４が、操作部１の後面から延出する連結可撓管３の先端に取り付けられている。
【００１３】
操作部１の下半部は操作部１を保持する術者が左手で握って保持するための握り部になっており、操作部１の上半部の前面には吸引操作弁１０と送気送水操作弁２０が並列に並んで配置され、そこから吸引操作釦１３と送気送水操作釦２３が前方に向けて突出配置されている。
【００１４】
また、操作部１の上半部の側面には、操作部１を保持する術者の手の形等（即ち、手の形や大きさ）に合わせて準備された操作部保持用補助具５０が、操作部１の側面壁に沿って配置されている。
【００１５】
図３は内視鏡の配管図であり、連結可撓管３内から操作部１内を通って挿入部２内に引き通された吸引管５の途中に吸引操作弁１０が介挿接続され、送気管６と送水管７の各々の途中に送気送水操作弁２０が介挿接続されている。
【００１６】
吸引操作弁１０と送気送水操作弁２０は各々、操作部１の側面図である図４にも示されるように、前方に向いて開口する状態に操作部１に固定されたシリンダ体１１，２１と、そのシリンダ体１１，２１内に軸線方向に進退自在に配置されたピストン体１２，２２とを有している。
【００１７】
そして、前方に向かって突出する状態にピストン体１２，２２の先端に連結された操作釦１３，２３を押し込むことにより、前述の吸引管５、送気管６及び送水管７の各々の連通と閉塞状態を切り換える吸引操作と送気送水操作を行うことができる。
【００１８】
吸引操作弁１０と送気送水操作弁２０の構造は公知のものであり、、各ピストン体１２，２２は、シリンダ体１１，２１の開口部に係脱自在なピストン体取付部材５２によりシリンダ体１１，２１から抜け出さないように規制されていて、ピストン体取付部材５２をシリンダ体１１，２１の口元部分から取り外すことにより、ピストン体１２，２２をシリンダ体１１，２１内から抜き出すことができる。
【００１９】
図５、図６及び図７は、操作部保持用補助具５０が操作部１に取り付けられた状態の側面図、正面図及び底面図であり、図１は操作部保持用補助具５０が操作部１から取り外された状態を示している。
【００２０】
この実施例の操作部保持用補助具５０は、操作部１の上半部の左側面に沿って配置されているが、その前端側にピストン体取付部材５２が連続して一体に形成された構成になっており、例えば、プラスチック成形により一体に容易に製造することができる。
【００２１】
図８は、操作部保持用補助具５０が取り付けられた状態の操作部１を術者が保持している状態を示しており、操作部保持用補助具５０が操作部１の下半部を握った手の上に載る状態になる。術者は自分の手の形に合う操作部保持用補助具５０を採用することにより、操作部１を楽に保持することができる。
【００２２】
操作部保持用補助具５０と一体に形成されているピストン体取付部材５２は、図９に示されるように、吸引操作ピストン体１２と送気送水操作ピストン体２２の突端に各々螺合連結された操作釦１３，２３をシリンダ体１１，２１から飛び出す方向に付勢するスプリング１４，２４によって、ピストン体１２，２２の段差面に押圧された状態に組み付けられており、それによって、操作部保持用補助具５０が、両ピストン体１２，２２と、それらの突端に螺合連結された操作釦１３，２３、及びスプリング１４，２４と共に、図１に示されるように一つのユニットを構成している。
【００２３】
また、ピストン体取付部材５２の裏面部分に環状に形成されたフック状部分５２ａ，５２ｂは、ある程度以上大きな力を加えることにより弾性変形して、シリンダ体１１，２１を操作部１に固定している固定ナット１５，２５の口元の鍔状部に対し係脱させることができる。
【００２４】
そのような構成により、操作部保持用補助具５０と一体に形成されたピストン体取付部材５２のフック状部分５２ａ，５２ｂを固定ナット１５，２５に係止して操作部１に取り付けた状態にすることによって、ピストン体１２，２２がシリンダ体１１，２１から抜け出さない状態に保持されると同時に、操作部保持用補助具５０が操作部１に安定した状態に固定される。
【００２５】
そして、ピストン体取付部材５２のフック状部分５２ａ，５２ｂを弾性変形させて固定ナット１５，２５から取り外してピストン体１２，２２をシリンダ体１１，２１から抜き出せば、図１０に示されるように、シリンダ体１１，２１だけが操作部１に残って、二つのピストン体１２，２２と操作部保持用補助具５０とが一体となって操作部１から外される。
【００２６】
したがって、二つのピストン体１２，２２と操作部保持用補助具５０とを、一体的に取り扱って取り落とすことなく操作部１に対して容易に着脱することができる。
【図面の簡単な説明】
【００２７】
【図１】本発明の実施例の操作部保持用補助具がピストン体と一体に操作部から取り外された状態の斜視図である。
【図２】本発明の実施例の内視鏡の外観を示す側面図である。
【図３】本発明の実施例の内視鏡の配管図である。
【図４】本発明の実施例の内視鏡の操作部の側面図である。
【図５】本発明の実施例の内視鏡の操作部の側面図である。
【図６】本発明の実施例の内視鏡の操作部の正面図である。
【図７】本発明の実施例の内視鏡の操作部の底面図である。
【図８】本発明の実施例の内視鏡の操作部を術者が保持した状態の側面図である。
【図９】本発明の実施例の操作部保持用補助具が操作部に取り付けられた部分の部分拡大側面断面図である。
【図１０】本発明の実施例の操作部保持用補助具が外された状態の操作部の部分拡大側面断面図である。
【符号の説明】
【００２８】
１  操作部
１０  吸引操作弁（操作弁）
２０  送気送水操作弁（操作弁）
１１，２１  シリンダ体
１２，２２  ピストン体
１３，２３  操作釦
１４，２４  スプリング
５０  操作部保持用補助具
５２  ピストン体取付部材
【図１】
2006212048.tif 000003
【図２】
2006212048.tif 000004
【図３】
2006212048.tif 000005
【図４】
2006212048.tif 000006
【図５】
2006212048.tif 000007
【図６】
2006212048.tif 000008
【図７】
2006212048.tif 000009
【図８】
2006212048.tif 000010
【図９】
2006212048.tif 000011
【図１０】
2006212048.tif 000012